(57)【要約】      （修正有）【課題】電動アシスト自転車の下り坂検出装置のコンパクト化を図り、既存の電動アシスト自転車であっても電源ボックスの外側壁に簡単容易に取付可能な下り坂検出装置を提供する。【解決手段】電動アシスト自転車の下り坂検出装置１０が、横長の筒体１１と、該筒体１１の前端部に設けられる下り坂検出スイッチ１２と、後端部に設けられる水平路面検出スイッチ１３、筒体１１内に移動自由に装着されて上記スイッチをオン・オフする球体１４とを備え、所定角度以上の下り坂走行時には電源３が自動的に切断されると共に、球体１４が前後に移動しても反対側のスイッチを押さない限り、オン又はオフの状態が維持される一方、筒体１１の側面に車体１に搭載される電源ボックス３１の側壁に外付けで取り付け可能な取付機構を備える構成とした。【選択図】図３
0003160393.tif 000002
【実用新案登録請求の範囲】
【請求項１】
車体にモータと電源を搭載し、ペダルをこぐことにより上記モータを駆動してアシストする一方、車体が所定角度以上の下り坂上に位置するとき電源をオフするようにした電動アシスト自転車の下り坂検出装置であって、下り坂検出装置は、横長の筒体と、筒体の前端部に設けられる下り坂検出スイッチと、後端部に設けられる水平路面検出スイッチと、筒体内に移動自由に装入されて上記スイッチをオン・オフする球体とを備える一方、筒体の側面に車体に搭載される電源ボックスやモータボックスの外壁に外付けで取り付け可能な取付機構を設けて、この取付機構による電源ボックスやモータボックスの外壁への取り付けにより筒体は車体前後方向に配設されると共に、車体が水平路面上に位置するとき筒体の前端部が高く後端部が低くなるように傾斜して設けられ、かつ、車体が所定角度以上の下り坂に位置するとき、球体が下り坂検出スイッチを押し下り坂検出信号を出力して電源をオフし、車体が水平路面上に位置するとき、球体が水平路面検出スイッチを押し水平路面検出信号を出力して電源をオンするように構成されていることを特徴とする電動アシスト自転車の下り坂検出装置。
【請求項２】
取付機構は電源ボックスの側壁に固定可能な円板状のベース基盤と、筒体の側面に一体的に連設される回転円板とを備え、回転円板はベース基盤にベース基盤の中心を軸として所定角度の範囲で揺動自由に支持されると共に、所望の揺動位置でベース基盤に回転円板を固定する固定手段が設けられている一方、筒体と回転円板との間に水平基準面をもつ段状の位置合わせ部が、前方から後方に至るほど筒体の上壁ラインに対して次第に上向き傾斜するように設けられ、車体が水平路面上に位置する状態で、位置合わせ部の水平基準面を水平線上に合わせて回転円板をベース基盤に固定することにより、前端部が高く後端部が低くなる求めるべき筒体の傾斜角度が得られるように構成されていることを特徴とする請求項１記載の電動アシスト自転車の下り坂検出装置。
【請求項３】
取付機構は電源ボックスの側壁に固定可能な円板状のベース基盤と、ベース基盤に回転自由に支持される有底筒状体と、有底筒状体内に回転自由に支持されかつ筒体の側面に一体的に連設される回転板とを備え、有底筒状体はベース基盤にベース基盤の中心を軸として所定角度の範囲で揺動自由に支持されると共に、所望の揺動位置でベース基盤に有底筒状体を固定する固定手段が設けられている一方、有底筒状体と回転板との周接面に、その一方側に設けられた複数個と、他方側に内装された凹所に係合可能な係合体及び係合体の付勢バネとでなるクリック切替式の位置保持手段が設けられて、この位置保持手段における係合体の凹所への係合位置を選択することにより、求めるべき筒体の傾斜角度が選択的に得られるように構成されており、かつ、有底筒状体の開口端部に蓋体が着脱可能に取り付けられていることを特徴とする請求項１記載の電動アシスト自転車の下り坂検出装置。
【考案の詳細な説明】
【技術分野】
【０００１】  本考案は、車体にモータと電源を搭載し、ペダルをこぐことにより上記モータを駆動してアシストする一方、車体が所定角度以上の下り坂上に位置するとき電源をオフするようにした電動アシスト自転車の下り坂検出装置に関する。
【背景技術】
【０００２】  従来、この種の電動アシスト自転車では、車体にモータと電源を搭載した構成で、ペダルをこぐことにより上記モータを駆動してアシストし長い距離や登り坂が楽に走行できるようになされている。【０００３】  しかし、実際の走行では、電動アシストの不要な下り坂においてもペダルをこいでいるのが現状で、下り坂でもかなりの電気が消費されている。このため、フル充電しても電動アシストで走行できる距離が短い問題があった。この問題に対し、本出願人は、先に球体を用いた下り坂の検出手段により、所定角度以上の下り坂走行時には球体が下り坂検出スイッチを押し下り坂検出信号を出力して電源を自動的に切断し、ペダルをこいでも電動アシストせず、電源の消費容量を大幅に節約する一方、球体が移動しても反対側のスイッチを押さない限り、オン又はオフの状態が保たれるようにして、水平路面近くでのモータの頻繁なオン・オフ動作によるハンチングを抑え良好な走行が行える電源切断装置を備えた電動アシスト自転車を提案し出願した。
【特許文献】  特開２００１−２７８１７４号
【考案の開示】
【考案が解決しようとする課題】
【０００４】  ところで、上記した電源切断装置の下り坂の検出手段は、横長の筒体と、筒体の前端部に設けられる下り坂検出スイッチと、後端部に設けられる水平路面検出スイッチ、筒体内に移動自由に装着されて上記スイッチをオン・オフする球体とからなる構造であることから、この筒状を呈する下り坂の検出手段を取り付けるための特別な支持部材とスペースが車体の電源ボックス周りに必要となり、また、下り坂の検出手段を車体に対し前後方向でかつ所定の後傾斜を持たせて取り付ける作業も面倒で手間がかかるものであった。【０００５】  そこで、本考案は、電動アシスト自転車の下り坂検出装置のコンパクト化を図ると共に、車体に搭載される電源ボックスの側壁に外付けで取り付け可能な構成として、新しい電動アシスト自転車は勿論、既存の電動アシスト自転車であっても電源ボックスの側壁に簡単容易にかつ正確に取り付けることができる電動アシスト自転車の下り坂検出装置の提供を課題とする。
【課題を解決するための手段】
【０００６】  上記した問題を解決するために、本願の請求項１記載の考案は、車体にモータと電源を搭載し、ペダルをこぐことにより上記モータを駆動してアシストする一方、車体が所定角度以上の下り坂上に位置するとき電源をオフするようにした電動アシスト自転車の下り坂検出装置であって、下り坂検出装置は、横長の筒体と、筒体の前端部に設けられる下り坂検出スイッチと、後端部に設けられる水平路面検出スイッチと、筒体内に移動自由に装入されて上記スイッチをオン・オフする球体とを備える一方、筒体の側面に車体に搭載される電源ボックスやモータボックスの外壁に外付けで取り付け可能な取付機構を設けて、この取付機構による電源ボックスやモータボックスの外壁への取り付けにより筒体は車体前後方向に配設されると共に、車体が水平路面上に位置するとき筒体の前端部が高く後端部が低くなるように傾斜して設けられ、かつ、車体が所定角度以上の下り坂に位置するとき、球体が下り坂検出スイッチを押し下り坂検出信号を出力して電源をオフし、車体が水平路面上に位置するとき、球体が水平路面検出スイッチを押し水平路面検出信号を出力して電源をオンするように構成されていることを特徴とする。【０００７】  また、本願の請求項２記載の考案は、取付機構が電源ボックスの側壁に固定可能な円板状のベース基盤と、筒体の側面に一体的に連設される回転円板とを備え、回転円板はベース基盤にベース基盤の中心を軸として所定角度の範囲で揺動自由に支持されると共に、所望の揺動位置でベース基盤に回転円板を固定する固定手段が設けられている一方、筒体と回転円板との間に水平基準面をもつ段状の位置合わせ部が、前方から後方に至るほど筒体の上壁ラインに対して次第に上向き傾斜するように設けられ、車体が水平路面上に位置する状態で、位置合わせ部の水平基準面を水平線上に合わせて回転円板をベース基盤に固定することにより、前端部が高く後端部が低くなる求めるべき筒体の傾斜角度が得られるように構成されていることを特徴とする。【０００８】  さらに、本願の請求項３記載の考案は、取付機構が電源ボックスの側壁に固定可能な円板状のベース基盤と、ベース基盤に回転自由に支持される有底筒状体と、有底筒状体内に回転自由に支持されかつ筒体の側面に一体的に連設される回転板とを備え、有底筒状体はベース基盤にベース基盤の中心を軸として所定角度の範囲で揺動自由に支持されると共に、所望の揺動位置でベース基盤に有底筒状体を固定する固定手段が設けられている一方、有底筒状体と回転板との周接面に、その一方側に設けられた複数個と、他方側に内装された凹所に係合可能な係合体及び係合体の付勢バネとでなるクリック切替式の位置保持手段が設けられて、この位置保持手段における係合体の凹所への係合位置を選択することにより、求めるべき筒体の傾斜角度が選択的に得られるように構成されており、かつ、有底筒状体の開口端部に蓋体が着脱可能に取り付けられていることを特徴とする。
【考案の効果】
【０００９】  上記した請求項１記載の考案によれば、球体を用いた下り坂の検出構造により、所定角度以上の下り坂走行時には電源を自動的に切断して電源の消費容量を大幅に節約でき、かつ、球体が移動しても反対側のスイッチを押さない限り、オン又はオフの状態が保たれることにより、水平路面近くでのモータの頻繁なオン・オフ動作によるハンチングを抑えて良好な走行も行うことができ、しかも、下り坂検出装置全体のコンパクト化を図ると共に、筒体の側面に車体に搭載される電源ボックスやモータボックスの外壁に外付けで取り付け可能な取付機構を備えた構造としたので、下り坂検出装置を新しい電動アシスト自転車に搭載される電源ボックスやモータボックスの外壁に取り付ける際は勿論、既存の電動アシスト自転車に搭載された電源ボックスやモータボックスの外壁に取り付ける際にも、簡単容易にかつ正確に取り付けることができる。【００１０】  また、本願の請求項２記載の考案によれば、取付機構として、電源ボックスの側壁に固定可能な円板状のベース基盤と、筒体の側面に一体的に連設される回転円板とを備え、回転円板はベース基盤にベース基盤の中心を軸として所定角度の範囲で揺動自由に支持されると共に、所望の揺動位置でベース基盤に回転円板を固定する固定手段が設けられている一方、筒体と回転円板との間に水平基準面をもつ段状の位置合わせ部が、前方から後方に至るほど筒体の上壁ラインに対して次第に上向き傾斜するように設けられ、車体が水平路面上に位置する状態で、位置合わせ部の水平基準面を水平線上に合わせて回転円板をベース基盤に固定することにより、前端部が高く後端部が低くなる求めるべき筒体の傾斜角度が得られるように構成されているから、下り坂検出装置を新しい電動アシスト自転車に搭載される電源ボックスの側壁に取り付ける際は勿論、既存の電動アシスト自転車に搭載された電源ボックスの側壁に取り付ける際にも、筒体の傾斜角度の微調整が可能で正確かつ容易に取り付けることができる。【００１１】  さらに、本願の請求項３記載の考案によれば、取付機構として、電源ボックスの側壁に固定可能な円板状のベース基盤と、ベース基盤に回転自由に支持される有底筒状体と、有底筒状体内に回転自由に支持されかつ筒体の側面に一体的に連設される回転板とを備え、有底筒状体はベース基盤にベース基盤の中心を軸として所定角度の範囲で揺動自由に支持され、筒体内の球体を筒体の中心に移動させることにより、水準器を用いることなく筒体を水平にし、その位置でベース基盤に有底筒状体を固定する固定手段が設けられている一方、有底筒状体と回転板との周接面に、その一方側に設けられた複数個と、他方側に内装された凹所に係合可能な係合体及び係合体の付勢バネとでなるクリック切替式の位置保持手段が設けられて、この位置保持手段における係合体の凹所への係合位置を選択することにより、求めるべき筒体の傾斜角度が選択的に得られるように構成されており、かつ、有底筒状体の開口端部に蓋体が着脱可能に取り付けられているから、蓋体により筒体を保護できると共に、体裁も良好にでき、しかも、筒体を求めるべき所望の傾斜角度に選択するときには、蓋体を外して、回転板、つまり筒体を有底筒状体に対して回転させて複数個の凹所に対する係合体の係合位置選択するだけのクリック式切り替え操作を行うことにより、より簡単かつ迅速に求めるべき傾斜角度に調整することができる。
【考案を実施するための最良の形態】
【００１２】  以下、本考案の実施の形態を図に基づいて説明する。【００１３】  図１は、車体１にモータ２とその電源３を内蔵した電源ボックス３１を搭載し、ペダル４をこぐことによりモータ２を駆動してアシストするようにした電動アシスト自転車に、本考案の下り坂検出装置１０を装備したものを示す。【００１４】  下り坂検出装置１０は、図２及び図３に示すように横長の筒体１１と、筒体１１の前端部に設けられる下り坂検出スイッチ１２と、後端部に設けられる水平路面検出スイッチ１３、筒体１１内に移動自由に装着されて上記スイッチをオン・オフする球体１４とを備える一方、筒体１１の一側面に上記電源ボックス３１の側壁に取り付け可能な取付機構１５が設けられている。取付機構１５は、電源ボックス３１の一側面に固定可能な円形状のベース基盤１６と、筒体１１の一側面に一体的に連設される回転円板１７とを備え、回転円板１７はベース基盤１６に対して該基盤１６の中心を軸として所定角度の範囲で揺動自由に支持されると共に、任意の揺動位置でベース基盤１６に回転円板１７を固定する固定手段が設けられている。固定手段としては、回転円板１７の上下位置に相対向して設けられた二つの長孔１７ａ，１７ｂとベース基盤１６に螺合し、上記長孔１７ａ，１７ｂを挿通する固定ねじ１８，１８とから構成されている。また、筒体１１と回転円板１７との間には、水平基準面１９ａをもつ段状の位置合わせ部１９が一体的に設けられ、位置合わせ部１９は、前方から後方に至るほど筒体１１の上壁ラインに対して次第に上向き傾斜するように設けられ、車体１が水平路面上に位置する状態で、位置合わせ部１９の水平基準面１９ａを水平線Ａ上に合わせて回転円板１７をベース基盤１６に固定することにより、前端部が高く後端部が低くなる求めるべき筒体１１の傾斜角度が得られるように構成されている。【００１５】  円形状のベース基盤１６の電源ボックス３１の一側面への固定に際しては、接着剤、溶接、貼付けにより固着したり、或いはビス止めなどにより固定する。【００１６】  また、上記各スイッチ１２，１３はリード線で、図３に示すように下り坂検出装置内あるいは、電源ボックス３１の下部に設けられる電源切断回路２２の接続端子２１に接続されており、電源切断回路２２は電源３に接続されている。【００１７】  そして、車体１が所定角度以上の下り坂上に位置するとき、球体１４が下り坂検出スイッチ１２を押して電源切断回路２２に下り検出信号を出力し、車体１が水平路面上に位置するとき、球体１４が水平路面検出スイッチ１３を押して電源切断回路２２に水平検出信号を出力するようになされている。【００１８】  また、電源切断回路２２は、水平路面検出スイッチ１３が球体１４で押されて、該スイッチ１３から水平路面検出信号を入力したときに電源３をオンし、下り坂検出スイッチ１２が球体１４で押されて、該スイッチ１２からの下り坂検出信号を入力したとき電源３をオフする。その場合、球体１４が前後に移動しても反対側のスイッチを押さない限り、オン又はオフの状態を保つように制御する。【００１９】  次に、以上の電動アシスト自転車における下り坂検出装置１０の作用について説明する。【００２０】  既存の電動アシスト自転車に下り坂検出装置１０を取り付ける場合には、まず、ベース基盤１６を電源ボックス３１の外側壁にたとえば貼着や接着或いはねじ止めなどにより固着する。次に、車体１が水平路面上に位置する状態の基で固定手段の固定ねじ１８，１８を緩め、ベース基盤１６に対して回転円板１７を揺動させて位置合わせ部１９の水平基準面１９ａが水平線Ａ−Ａ上に位置するように位置合わせする。その後、上記固定ねじ１８，１８を締め付けて回転円板１７をベース基盤１６に固定する。これにより、筒体１１を前端部が高く後端部が低くなる求めるべき傾斜角度の状態に自動的に合わせて取り付けることができる。【００２１】  また、回転円板１７をベース基盤１６に固定する前、或いは固定した後に、電源ボックス３１を車体１から一旦取り出して、電源切断回路２２と電源３とを接続する。これにより、下り坂検出装置１０の電源ボックス３１へのセッティング作業は終了する。【００２２】  そして、車体１が水平路面上に位置するときには、上記筒体１１は図３に示すように前が高く後が低くなっているので、筒体１１内の球体１４は水平路面検出スイッチ１３を押す。このスイッチ１３が押されている状態では電源３はオンになっている。一旦、オンになると、該スイッチ１３が押されていなくても、下り坂検出スイッチ１２が押されない限り電源３はオンのままである。【００２３】  ある程度以上の傾斜の下り坂では、球体１４が前方へ移動し、下り坂検出スイッチ１２を押す。同時に電源３はオフになる。一旦、オフになると、水平路面検出スイッチ１３を押さない限りオフのままである。その後、再び車体１が水平路面上に位置して水平になり、球体１４が後方へ移動し水平路面検出スイッチ１３を押すと電源３はオンになる。【００２４】  以上のようにして、所定角度以上の下り坂走行時には電源３は自動的に切断され、ペダルをこいでも電動アシストしない。これにより電源の消費容量が大幅に節約される。また、電源切断回路２２の働きにより、球体１４が前後に移動しても、反対側のスイッチを押さない限り、オン又はオフの状態が保たれるから、水平路面近くでのモータの頻繁なオン・オフ動作によるハンチングを抑えて、良好な走行を行うことができる。しかも、下り坂検出装置１０全体のコンパクト化を図ると共に、筒体１１の側面に車体１に搭載される電源ボックス３１の側壁に取り付け可能な取付機構１５を備えた構造としたので、下り坂検出装置１０を新しい電動アシスト自転車に搭載される電源ボックス３１の側壁に取り付ける際は勿論、既存の電動アシスト自転車に搭載された電源ボックスの側壁に取り付ける際にも、筒体１１の傾斜角度の微調整が可能で正確かつ容易に取り付けることができる。【００２５】  また、図４及び図５は取付機構の別の実施形態を示すもので、取付機構１５Ａでは、電源ボックス３１の側壁に固定可能な円板状のベース基盤２４と、ベース基盤２４に回転自由に支持される有底筒状体２５と、有底筒状体２５内に回転自由に支持されかつ透明或いは半透明筒体２６の側面に一体的に連設される回転板２７とを備え、有底筒状体２５はベース基盤２４にベース基盤２４の中心を軸として所定角度の範囲で揺動自由に支持され、筒体２６内の球体２６ａを��体２６の中心に移動させることにより、水準器を用いることなく筒体２６を水平にし、その位置でベース基盤２４に有底筒状体２５を固定する長孔２５ａ，２５ａと固定ねじ２８，２８とでなる固定手段が設けられている。そして、有底筒状体２５と回転板２７との周接面のうち、有底筒状体２５側に複数個の凹所２５ｂ…２５ｂが所定角度ずつおいて設けられ、回転板２７側に上記凹所２５ｂ…２５ｂのいずれかに係合可能な係合体２９と係合体２９を凹所２５ｂ側に付勢するバネ２９ａとが内蔵されてなるクリック切替式の位置保持手段が設けられ、この位置保持手段における係合体２９の凹所２５ｂへの係合位置を選択することにより、求めるべき筒体２６の傾斜角度が選択的に得られるように構成されている。さらに、有底筒状体２５の開口端部には蓋体３０が嵌め合いにより着脱可能に取り付けられてなるものである。なお、筒体２６内に下り坂検出スイッチ、水平面検出スイッチ、球体２６ａを備える構造及びこれらによる電源の切り替え作用効果については先の実施の形態と同様であるのでその構造及び作用効果については省略する。【００２６】  このように構成した取付機構１５Ａによれば、蓋体３０により有底筒状体２５内の筒体２６を保護できると共に、体裁も良好にできる。しかも、取付機構１５Ａにより下り坂検出装置を電源ボックス３１の側壁に固定する際には、先の実施の形態の場合と同様に、ベース基盤２４を電源ボックス３１の外側壁にたとえば貼着や接着或いはねじ止めなどにより筒体２６がほぼ水平になるように固着する。次に、有底筒状体２５により蓋体３０を外した状態で、車体１が水平路面上に位置する状態の基で固定手段の固定ねじ２８，２８を緩め、ベース基盤２４に対して有底筒状体２５を筒体内の球体が筒体の中心に位置するように揺動させて微調整し、筒体２６が水平線上に位置するように位置合わせする。その後、回転板２７、つまり筒体２６を有底筒状体２５に対して回転させて複数個の凹所２５ｂに対する係合体２９の係合位置を選択するだけのクリック式切り替え操作を行うことにより、求めるべき傾斜角度に簡単かつ迅速に調整することができる。【００２７】  さらに、上記した実施の形態では、下り坂検出装置１０を電源ボックス３の側壁３１に取り付けた場合について説明したけれども、下り坂検出装置１０を図６及び図７に示すようにモータ２のモータボックス２０の前面に取り付けてもよい。その場合、たとえば図７に示すように取付機構１５Ｂとして、横長筒体３２、下り坂検出スイッチ、水平路面検出スイッチ、球体３２ａなどを求めるべき傾斜角度に調整可能に内蔵し、かつ一側面に取付板３３を備えた山形状のケース体３４を用い、このケース体３４をモータボックス２０の前面に取付板３３を介して貼着や接着などにより取り付ければよい。
【図面の簡単な説明】
【００２８】
【図１】  本考案の下り坂検出装置を装備した電動アシスト自転車の概略側面図である。
【図２】  同下り坂検出装置の取り付け状態を示す説明図である。
【図３】  同下り坂検出装置の一部切り欠き側面図である。
【図４】  取付機構の別の実施の形態を示す一部切り欠き正面図である。
【図５】  同横断面図である。
【図６】  さらに、別の実施の形態を示す電動アシスト自転車の概略側面図である。
【図７】  同要部の拡大説明図である。
【符号の説明】
【００２９】１              車体
２              モータ
３              電源
４              ペダル
１０            下り坂検出装置
１１            筒体
１２            下り坂検出スイッチ
１３            水平路面検出スイッチ
１４            球体
１５            取付機構
１５Ａ          取付機構
１５Ｂ          取付機構
１６            ベース基盤
１７            回転円板
２０            モータボックス
２４            ベース基盤
２５            有底筒状体
２６            筒体
２６ａ          球体
２７            回転板
３１            電源ボックス
３２            筒体
３２ａ          球体
【図１】
0003160393.tif 000003
【図２】
0003160393.tif 000004
【図３】
0003160393.tif 000005
【図４】
0003160393.tif 000006
【図５】
0003160393.tif 000007
【図６】
0003160393.tif 000008
【図７】
0003160393.tif 000009